(57)【要約】      （修正有）【課題】衣服等の汚れ部分に洗浄液剤を、容易に、無駄なく、確実に塗布できるようにする。【解決手段】衣服用洗浄液剤を吐出部から吐出して衣服の汚れ部分に塗布する衣服用洗浄液剤の塗布装置１において、吐出部に臨む位置に、汚れが付着した衣服の背面側を支持する支持面部７を備えるものとする。それにより、洗浄液剤を衣服等の汚れ部分に容易に、無駄なく、確実に塗布できるようになる。とくに、襟や袖に沿う汚れに洗浄剤を連続して塗布することが容易にできるようになる。【選択図】図５
2017205448.tif 000002
【特許請求の範囲】
【請求項１】
衣服用洗浄液剤を吐出部から吐出して衣服の汚れ部分に塗布する衣服用洗浄液剤の塗布装置において、
前記吐出部に臨む位置に、汚れが付着した衣服の背面側を支持する支持面部を備えることを特徴とする衣服用洗浄液剤の塗布装置
【発明の詳細な説明】
【技術分野】
【０００１】
この発明は、衣服等の部分汚れを除去するための衣服用洗浄液剤の塗布装置に関する。
【背景技術】
【０００２】
衣服の襟や袖に付いた皮脂による部分汚れ等は、洗濯機等での洗濯に先立ってその汚れ部分に専用の洗浄剤を塗布しておくことによって除去するようにしている。
【発明の概要】
【発明が解決しようとする課題】
【０００３】
従来における上記洗浄剤の衣服等への塗布は、例えば、液状の洗浄剤をノズルより噴射して行っているが、汚れ部分に無駄なく確実に塗布することが難しく、手間がかかった。これは、ノズルから洗浄液剤を噴射する際には、衣服を手に持って襟や袖の汚れが付いた部分をノズルに正対させるが、衣服は固形でないのでその位置合わせが難しく、また、ノズルとの距離を適正とすることが難しいことに起因すると考えられる。とくに、襟や袖に沿う汚れに洗浄液剤を連続して塗布することは困難であった。
【課題を解決するための手段】
【０００４】
この発明は上記の事情に鑑みて行ったもので、衣服等の汚れ部分に洗浄液剤を、容易に、無駄なく、確実に塗布できるようにすることを目的とする。
【０００５】
この発明では、衣服用洗浄液剤を吐出部から吐出して衣服の汚れ部分に塗布する衣服用洗浄液剤の塗布装置において、前記吐出部に臨む位置に、汚れが付着した衣服の背面側を支持する支持面部を備えることを特徴とする衣服用洗浄液剤の塗布装置を提供する。
【０００６】
上記構成の衣服用洗浄液剤の塗布装置は、吐出部に臨む位置に汚れが付着した衣服の背面側を支持する支持面部を備えるので、衣服を支持面部に支持させることで塗布作業が容易になされる。とくに、支持面部に支持させることで衣服を吐出位置に正対させるとともに近接した位置でできるので、汚れ部分への塗布が確実になされる。さらに、支持面部に沿って衣服を移動できることで汚れ部分を洗浄液剤の吐出位置に合わせやすく、とくに、襟や袖に沿って汚れが有る場合、その汚れに洗浄液剤を連続して塗布することが容易に行える。
【発明の効果】
【０００７】
この発明によれば、洗浄液剤を衣服等の汚れ部分に容易に、無駄なく、確実に塗布できるようになる。とくに、襟や袖に沿う汚れに洗浄剤を連続して塗布することが容易にできるようになる。
【図面の簡単な説明】
【０００８】
【図１】この発明の衣服用洗浄液剤の塗布装置の実施形態の上面図
【図２】この発明の衣服用洗浄液剤の塗布装置の実施形態の側面図
【図３】この発明の衣服用洗浄液剤の塗布装置の実施形態の本体部の下面図
【図４】この発明の衣服用洗浄液剤の塗布装置の実施形態の断面構成図
【図５】この発明の衣服用洗浄液剤の塗布装置の実施形態の使用状態を示す側面図
【図６】この発明の衣服用洗浄液剤の塗布装置の実施形態の変形例の断面構成図
【図７】この発明の衣服用洗浄液剤の塗布装置の異なる実施形態の側面図
【図８】この発明の衣服用洗浄液剤の塗布装置の異なる実施形態の下面図
【図９】この発明の衣服用洗浄液剤の塗布装置の異なる実施形態のガイド部を取り外した側面図
【図１０】この発明の衣服用洗浄液剤の塗布装置のさらに異なる実施形態の本体部の下面図
【発明を実施するための最良の形態】
【０００９】
図１はこの発明の衣服用洗浄液剤の塗布装置の実施形態の平面図、図２は同側面図、図３は同本体部の下面図、図４は同本体部の断面構成図である。
【００１０】
塗布装置１は本体部２とガイド部４とから構成され、それぞれの基部がヒンジ部５で連結され、本体部２とガイド部４とは互いに回動して近接、離間できる構成となっている。
【００１１】
本体部２のケーシング８の上面には端部側から水補充部７１、第１操作ボタン７２、第２操作ボタン７４、電源ボタン７６、洗浄液剤点検窓７８、洗浄液剤補充部８０のそれぞれが設けられている。水補充部７１、洗浄液剤補充部８０のそれぞれにはキャップが装着されている。電源ボタン７６はその周囲に環状の作動点灯表示部８２を備えている。９０は内蔵する各種電動機器を作動するための電源電池、９１は回路基板である。
【００１２】
ケーシング８の端部側の幅広となった下面には円形のブラシ体１０が嵌設されている。ブラシ体１０はケーシング８から露呈する側に洗浄液剤の導入スペース１１を備え、その導入スペース１１の下面壁１３の下面に多数本のブラシ１２が植設されるとともに、下面壁１３には洗浄液剤の吐出穴１５が複数個設けられ、上面壁１７の中央に洗浄液剤の導入穴１９が設けられている。上面壁１７の後面の導入穴１９の周囲位置からは軸支筒２２が上方に突出して設けられ、この軸支筒２２がベアリング２４を介してケーシング８に固定状態である環状の軸支部材２６に回転可能に軸支されている。
【００１３】
２８はコイルバネであり、ブラシ体１０の軸支筒２２を巻回するように配置され、下端側が導入スペース１１の上面壁１７の上面に上端側が軸支部材２６の下面に当接するように位置する。このようにしてコイルバネ２８が上面壁１７の上面に弾力的に接触することでブラシ体１０は下方側、すなわち、ケーシング８から突出する方向に付勢されている。ブラシ体１０の周囲位置には環状空間形態のスチーム部３５が設けられており、スチーム部３５の内周側外面に設けられた係止段部３６に係止部３７が係止することでブラシ体１０はケーシング８からの突出離脱が阻止されている。
【００１４】
ブラシ体１０の上面壁１７の外周位置からは内面に沿ってギヤ３８が設けられた筒状壁４０が上方に突出するように設けられている。４２はモータであり、その駆動端に取り付けられたギヤ４３が筒状壁４０のギヤ３８に歯合し、これによりモータ４２が作動することでブラシ体１０は回転する。ギヤ３８はギヤ４３よりも寸法が長く、ギヤ４３とギヤ３８とは歯合した状態において互いが上下方向にスライド移動可能となっている。
【００１５】
５０は剛性を持つ洗浄液剤パイプであり、洗浄液剤タンク５２から延び出し、その途中部に洗浄液剤を泡状として移動させる電動ポンプ５４が配置され、その端部はブラシ体１０の軸支筒２２に導入されている。電動ポンプ５４が作動されることで洗浄液剤タンク５２内の洗浄液剤が泡状となって軸支筒２２内に至り、導入穴１９から導入スペース１１内に至った泡状洗浄液剤はその下面壁１３の吐出穴１５のそれぞれから吐出される。洗浄液剤パイプ５０の軸支筒２２内に導入される部分には弾力性を持つ逆止弁構造の密封リング５７が装着されており、密封リング５７があることで軸支筒２２の後端から洗浄液剤が流れ出すことが阻止される。洗浄液剤タンク５２の洗浄液剤の量はケーシング８の洗浄液剤点検窓７８を通して確認でき、洗浄液剤は洗浄液剤補充部８０を通して補充される。
【００１６】
スチーム部３５はその前面がヒータ６３によって加熱される環状の気化用プレート６０となっている。気化用プレート６０とその前面に位置するケーシング壁６６には連通して複数のスチーム吐出穴６８がブラシ体１０の周囲位置に設けられている。６２はポンプを内蔵する水タンクで、水供給パイプ６４をスチーム部３５内に延出している。ヒータ６３によって気化用プレート６０が加熱された状態において、水タンク６２から水供給パイプ６４を通してスチーム部３５内に送られた水は気化用プレート６０に接触して気化し、スチームとなってスチーム吐出穴６８のそれぞれから吐出される。水タンク６２の水はケーシング８の水補充部７１を通して補充される。
【００１７】
本体部２とガイド部４とはバネ機構を持つヒンジ部５で連結され、通常時において本体部２はガイド部４に対しバネで付勢支持されることで図２に示す状態に位置する。本体部２とガイド部４とは完全な開き状態とでき、その状態において大形の衣服の汚れへの洗浄液剤の塗布が行える。ガイド部４の本体部２のブラシ体１０に相対部分は平面形態で、その部分がこの発明の支持面部７を形成する。
【００１８】
次に、塗布装置１の使用に際しての塗布動作を説明する。各種操作に伴う各種電動機器の動作は回路基板９１上に形成されるマイクロコンピュータに予め設定されたプログラムに沿って行われる。始めに、本体部２の電源ボタン７６を押す。これにより点灯表示部８２が青色に点灯するとともにヒータ６３がＯＮして気化用プレート６０の加熱が開始される。所定時間後に点灯表示部８２の点灯が赤色に切り替わった段階で、本体部２とガイド部４との間に衣服Ｓを差し入れ、本体部２とガイド部４とを近接させて、図５に示すように、両者で衣服Ｓの汚れ部分を挟みつける状態とする。この状態において本体部２のブラシ体１０はケーシング８内にコイルバネ２８の付勢力に抗して上昇し、その上昇位置でブラシ体１０のブラシ１２は弾力的に衣服Ｓに接触する。
【００１９】
次に、第１操作ボタン７２を押すことで水タンク６２のポンプ、ギヤモータ４２がともに作動開始され、スチーム吐出穴６８のそれぞれからスチームが吐出されるとともに、ブラシ体１０が回転する。これにより、衣服面に貼り付いた汚れはスチームで温められ軟化した状態において強く接触して回転するブラシ１２により擦り落とされて除去される。次に、第２の操作ボタン７４を押すと洗浄液剤ポンプ５４が作動され、ブラシ体１０の下面壁１３の吐出穴１５のそれぞれから第２の操作ボタン７４を押す毎に泡状洗浄液剤が吐出されて、衣服面に塗布される。衣服面が温められ軟化し、かつ、ブラシ体１０が回転していることで泡状洗浄液剤は衣服の汚れ部分に効率よく浸透し、この状態において洗濯機に投入される等して衣服の洗濯がなされる。操作ボタン７２を再度押すことでヒータ６３、水ポンプ、モータ４２のそれぞれが停止され、スチームの吐出、ブラシ体１０の回転がともに停止される。
【００２０】
上記のように、洗浄液剤の塗布時に汚れの一部が除去され、かつ、洗浄液剤が汚れに十分に浸透した状態での洗濯が可能となることで、部分汚れが確実に除去されるようになる。また、その塗布作業において、ガイド部４がブラシ体１０に相対する支持面部７を備えるので、衣服をそこに支持させることで塗布作業が容易になされる。とくに、洗浄液剤が吐出されるブラシ１２面に衣服が正対するとともに近接した位置で洗浄液剤の塗布が行えることで、汚れ部分への塗布が確実になされる。さらに、支持面部７に沿って衣服を移動できることで汚れ部分を洗浄液剤の吐出位置に合わせやすく、とくに、襟や袖に沿って汚れが有る場合、その汚れに洗浄液剤を連続して塗布することが容易に行える。
【００２１】
図６は上記実施形態のものの変形例を示す。このものではモータ４２の駆動端にカム状回転体４９を取り付け、このカム状回転体４９の周面をブラシ体１０の筒状壁４０の内周面に当接するようしている。これによりモータ４２が駆動されてカム状回転体４９が回転しそのカム面が筒状壁４０の内周面に接触回転することで、ブラシ体１０が振動するようになっている。この塗布装置によればブラシ１２が振動する状態においてスチームと洗浄液剤との吐出がなされ、上記実施形態のものとほぼ同様の作用効果が発揮される。
【００２２】
図７は他の実施形態を示す側面図、図８は同下面図である。塗布装置１０１は本体部１０２とガイド部１０４とから構成され、ガイド部１０４は本体部１０２に対して、図９に示すように着脱可能に設けられており、ガイド部１０４は選択的に使用される、例えば、上着の背中の中央位置に汚れがある場合にはガイド部１０４を取り外して使用する。ガイド部１０４はプラスチック製であり、その下部の取り付け部１０５が本体部１０２の中間位置に下面側から押し付けられることで弾力的に開かれて取り付けられ、その取り付け状態においてガイド部１０４の支持面部１０７が所定幅の隙間を保って本体部１０２のブラシ体１１０のブラシ１１２面に相対する。
【００２３】
図１０はさらに他の実施形態を示す塗布装置の本体部の下面図である。この塗布装置２０１では、ブラシ体２１０が本体部２０２に直交して設けられたスライド溝２２０に沿って２方向にスライド移動するように設けられている。
【符号の説明】
【００２４】
１  洗浄液剤の塗布装置
７  支持面部
１５洗浄液剤の吐出穴（吐出部）
【図１】
2017205448.tif 000003
【図２】
2017205448.tif 000004
【図３】
2017205448.tif 000005
【図４】
2017205448.tif 000006
【図５】
2017205448.tif 000007
【図６】
2017205448.tif 000008
【図７】
2017205448.tif 000009
【図８】
2017205448.tif 000010
【図９】
2017205448.tif 000011
【図１０】
2017205448.tif 000012